【事件の表示】
　特願２０１９−１２５０６１「光感応性酸発生剤およびそれらを含むフォトレジスト」拒絶査定不服審判事件〔令和元年１２月５日出願公開，特開２０１９−２０７４１５〕について，次のとおり審決する。
【結　論】
　本件審判の請求は，成り立たない。
【理　由】
第１　事案の概要
　１　手続等の経緯
　(1) 特願２００２−５４５３０９号（以下「もとの特許出願」という。）は，２００１年（平成１３年）１１月１３日（パリ条約による優先権主張外国庁受理　２０００年（平成１２年）１１月３日　米国）を国際出願日とする出願である。
　(2) 特願２００８−３２６７７号（以下「第二出願」という。）は，もとの特許出願の一部を平成２０年２月１４日（優先権主張は上記のとおりである。以下同じ。）に新たな特許出願としたものである。
　(3) 特願２０１２−２５５８８０号（以下「第三出願」という。）は，第二出願の一部を平成２４年１１月２２日に新たな特許出願としたものである。
　(4) 特願２０１４−１２５０２０号（以下「第四出願」という。）は，第三出願の一部を平成２６年６月１８日に新たな特許出願としたものである。
　(5) 特願２０１６−２０１６５１号（以下「第五出願」という。）は，第四出願の一部を平成２８年１０月１３日に新たな特許出願としたものである。
　(6) 特願２０１９−１２５０６１号（以下「本件出願」という。）は，第五出願の一部を令和元年７月４日に新たな特許出願としたものである。
　本件出願の手続等の経緯の概要は，以下のとおりである。
令和元年　８月　５日付け：手続補正書
令和元年１１月１５日付け：拒絶理由通知書
令和２年　２月２１日付け：意見書
令和２年　２月２１日付け：手続補正書
令和２年　３月２５日付け：拒絶査定
令和２年　７月３０日付け：審判請求書
令和２年　７月３０日付け：手続補正書
令和２年１０月２３日付け：拒絶理由通知書
令和３年　４月２６日付け：意見書
　２　本願発明
　本件出願の請求項１〜請求項３に係る発明は，令和２年２月２１日にした手続補正後の特許請求の範囲の請求項１〜請求項３に記載された事項により特定されるとおりのものであるところ，その請求項１に係る発明（以下「本願発明」という。）は，次のとおりである。なお、令和２年７月３０日付け手続補正書では、特許請求の範囲は補正されていない。
「　組成物の露光されたコーティング層を現像させるのに充分な量で樹脂バインダおよび光感応性酸発生剤化合物を含み，その光感応性酸発生剤が放射線で露光されることにより，化学式
　　　　　Ｒ（ＣＲ１Ｒ２）ＣＦ２ＳＯ３Ｈ
（式中，Ｒが置換されていてもよいＣ１−２０アルキル，置換されていてもよい炭素環式芳香族基，置換されていてもよいヘテロ脂環式基又は置換されていてもよいヘテロ芳香族基であり，Ｒ１とＲ２がそれぞれ独立して水素または水素以外の置換基である。ただし，Ｒ（ＣＲ１Ｒ２）がパーハロアルキルであることはなく，ＣＨ３（ＣＨ２）５ＣＦ２−基であることはなく，ＣＦ３（ＣＦＨ）−基であることはなく，Ｃ２Ｈ５（ＣＦ２）−基であることはない。）
で表されるα，α−ジフルオロアルキルスルホン酸を発生させる，フォトレジスト組成物。」
　３　拒絶の理由
　令和２年１０月２３日付け拒絶理由通知書において当合議体が通知した拒絶の理由は，以下のとおりである。
●理由１：（サポート要件）本件出願の特許請求の範囲の記載は，特許を受けようとする発明が，発明の詳細な説明に記載したものであるということができないから，特許法３６条６項１号に規定する要件を満たしていない。
●理由２（進歩性）本件出願の請求項１〜請求項３に係る発明は，その優先権主張の日前に日本国内又は外国において頒布された刊行物に記載された発明に基づいて，その優先権主張の日前にその発明の属する技術の分野における通常の知識を有する者（以下「当業者」という。）が容易に発明をすることができたものであるから，特許法２９条２項の規定により特許を受けることができない。
引用文献１：特開２０００−１４７７５３号公報
引用文献２：旧東ドイツ国経済特許第２９５４２１号明細書
引用文献３：特開平８−５３４４２号公報
（当合議体注：引用文献１〜引用文献３は，いずれも主引用例である。）
●理由３：（拡大先願）本件出願の請求項１〜請求項３に係る発明は，その優先権主張の日前の他の特許出願であって，その優先権主張の日後に出願公開がされた特許出願の願書に最初に添付された明細書，特許請求の範囲又は図面に記載された発明と同一であり，しかも，本件出願の発明者が他の特許出願に係る上記の発明をした者と同一ではなく，また本件出願の時において，その出願人が他の特許出願の出願人と同一でもないので，特許法２９条の２の規定により，特許を受けることができない。
先願１：特願２０００−３２１１２８号（特開２００２−１３１８９７号）
第２　当合議体の判断
　１　理由１（サポート要件）について
　(1) 発明の課題
　本件出願の明細書の【０００６】及び【０００９】の記載からみて，本願発明の発明が解決しようとする課題は，「ポジ型，ネガ型のいずれのフォトレジスト組成物においても使用することができ，相分離やパーフルオロアルキル酸によって示されうる他の移動をする傾向がない光感応性酸発生剤を含むフォトレジスト組成物を提供すること」にあると認められる。
　(2) 判断
　前記(1)で述べた発明の課題に関して、本件出願の明細書には，本願発明の「光感応性酸発生剤」が，「ポジ型，ネガ型のいずれのフォトレジスト組成物においても使用することができ」ること，及び「相分離やパーフルオロアルキル酸によって示されうる他の移動をする傾向がない」ことについて，何ら理論的な説明がなされていない。また，本件出願の明細書には，本願発明の「光感応性酸発生剤」の要件を満たす具体的な化合物を合成してフォトレジスト組成物を作成したことまでは記載されている（【０１０６】〜【０１１１】）が，その数は１つにとどまる。さらに，本件出願の明細書には，こうして作成したフォトレジスト組成物を使用して「レリーフ像を得る」（【０１１２】）という記載はあるが，その評価結果は開示されていない。
　そうしてみると，本願発明は，発明の詳細な説明の記載により当業者が発明の課題を解決できると認識できる範囲のものであるということができず，また，発明の詳細な説明に記載や示唆がなくとも当業者が本件出願時の技術常識に照らし発明の課題を解決できると認識できる範囲のものであるということもできない。
　したがって，本願発明は，発明の詳細な説明に記載したものであるということができない。
　(3) 請求人の主張
　請求人は，令和３年４月２６日付け意見書において，概略，［Ａ］本願発明の光感応性酸発生剤化合物を含むフォトレジスト組成物が優れたリソグラフィ性能を示すことは，【０００９】に記載のとおりであり，［Ｂ］実施例（【０１０６】〜【０１０８】）において，本願発明の光感応性酸発生剤化合物に該当する「ジ（４−ｔ−ブチルフェニル）−ヨードニウム１，１−ジフルオロ−１−スルホネート−２−（１−ナフチル）エチレン」（以下「実施例化合物」という。）を合成し，［Ｃ］【０１０９】〜【０１１２】において，実施例化合物を含むフォトレジスト組成物からレリーフ像を得ることを開示しており，［Ｄ］実験的事実としてこのフォトレジスト組成物からは好ましいレリーフ像が得られるのであるから，発明の詳細な説明の記載に不足はなく，［Ｅ］【０００９】に記載のとおりであるから，実施例に記載された化合物を，本願発明の光感応性酸発生剤化合物の範囲にまで一般化可能であると主張する。
　確かに，本件出願の明細書の【０１０６】〜【０１０８】には，本願発明の化学式において，Ｒが１−ナフチル基，Ｒ１及びＲ２が水素である場合の化合物（実施例化合物）の合成過程が記載されている。また，【０１０９】〜【０１１１】には，本願発明が前提とする紫外線の波長に適したものか否かは措くとして，ビニルフェノール，スチレン及びｔ−ブチルアクリレートの三元共重合体の樹脂バインダーと，実施例化合物と，乳酸エチル（溶媒）からなるフォトレジスト組成物を製造したことが，一応，記載されている。
　しかしながら，【０１１２】においては，「塗装ウェーハを０．２６Ｎ水酸化テトラメチルアンモニウムの水溶液で処理して，像形成させたレジスト層を現像し，レリーフ像を得る。」という記載はあるものの，その評価結果，すなわち，「相分離やパーフルオロアルキル酸によって示されうる他の移動をする傾向がないこと」を示す実験結果は，いっさい開示されていない（例えば，パーフルオロアルキル系の光感応性酸発生剤化合物との比較結果が示されていない。）。また，ネガ型フォトレジストへの適用については，例示すらない。
　加えて，本願発明の光感応性酸発生剤化合物の範囲には，例えば，ＲがパーフルオロＣ４アルキルであり，Ｒ１もフッ素であり，Ｒ２のみが水素である化合物も含まれるが，このような化合物と実施例化合物とが，「相分離やパーフルオロアルキル酸によって示されうる他の移動をする傾向」において，大きく相違することは，化合物の構造からみて明らかである。
　したがって、請求人の主張は採用できない。
　(4) 小括
　本願発明は，発明の詳細な説明に記載したものであるということができないから，本件出願の特許請求の範囲の記載は，特許法３６条６項１号に規定する要件を満たしていない。
　２　理由２（進歩性）引用文献１を主引用例とする場合について
　(1) 引用文献１の記載
　引用文献１（特開２０００−１４７７５３号公報）は，本件出願の優先権主張の日前に日本国内又は外国において頒布された刊行物であるところ，そこには，以下の記載がある。なお，下線は当合議体が付したものであり，引用発明の認定や判断等に活用した箇所を示す。
　ア　「【発明の詳細な説明】
【０００１】
【発明の属する技術分野】本発明は，
イオン性および非イオン性光酸発生剤化合物の混合物を含有してな
フォトレジスト組成物
サブミクロン寸法で高解像度の形状
を実現することが可能な深ＵＶフォトレジスト
として
有用であ
　イ　「【０００２】
【従来の技術】フォトレジストは，基板に画像を転写するための感光膜であり，ネガ画像またはポジ画像を形成する。基板上にフォトレジストを被覆後，被膜は，紫外線などの活性化エネルギー源にパターン形成フォトマスクを通して露光されて，フォトレジスト被膜に潜像を形成する。
…省略…
【０００５】
【発明が解決しようとする課題】比較的最近，深ＵＶ光線（ｄｅｅｐ　ＵＶ　ｒａｄｉａｔｉｏｎ）で光イメージングすることができるフォトレジストに対する関心が高まってきた。
…省略…
【０００６】
【課題を解決するための手段】本発明者らは，フォトレジスト組成物に混合して優れたリトグラフ特性をもたらすことができる光酸発生剤化合物（ＰＡＧ）の新しい混合物，特に化学増幅ポジ型レジストを発見した。好ましいＰＡＧ混合物は，深ＵＶ光線，特に２４８ｎｍおよび／または１９３ｎｍの露光波長に露光させると光活性化することができる。
【０００７】本発明のＰＡＧ混合物は，少なくとも１種のイオン性ＰＡＧおよび少なくとも１種の非イオン性ＰＡＧを含む。
…省略…
【０００８】本発明は，イオン性ＰＡＧおよび非イオン性ＰＡＧの混合物を含むフォトレジスト組成物も提供する。ＰＡＧ混合物は，多様なレジスト系の中で用いることができ，好ましくは，ＰＡＧ混合物は，樹脂バインダー成分としてアクリレート含有ポリマーをからなるレジスト組成物中で用いられる。
…省略…
【００１１】
【発明の実施の形態】
…省略…
【００１２】オニウム塩は，一般に，本発明により用いるために好ましいイオン性ＰＡＧである。
…省略…
【００２３】本発明のＰＡＧ混合物およびフォトレジスト組成物の中で多様な非イオン性ＰＡＧを用いることができる。
…省略…
【００２６】Ｎ−スルホニルオキシイミド光酸発生剤も本発明のＰＡＧ混合物および組成物中で
非イオン性ＰＡＧとして用いるために適し
【００２７】
【化５】
【００２８】
（式中，
ＸａＲは，−ＣｎＨ２ｎ＋１（式中，ｎ＝１〜８），−ＣｎＦ２ｎ＋１（式中，ｎ＝１〜８），樟脳置換基，−２（９，１０−ジエトキシアントラセン），−（ＣＨ２）ｎ−Ｚまたは−（ＣＦ２）ｎ−Ｚ（式中，ｎ＝１〜４，ＺはＨ）Ｃ１〜６アルキル，樟脳置換基，−２−（９，１０−ジエトキシアントラセンまたはフェニルなどのアリールである）であ
【００２９】
【化６】
【００３０】（式中，Ｒ１はＨ，１〜４個の炭素を有するアセチル，アセタミド，アルキル（ｍ＝１〜３），ＮＯ２（ｍ＝１〜２），Ｆ（ｍ＝１〜５），Ｃｌ（ｍ＝１〜２），ＣＦ３（ｍ＝１〜２），ＯＣＨ３（ｍ＝１〜２）（ｍは別途に１〜５でありうる）およびそれらの混合成分からなる群から選択される）を形成し，その場合，ＸおよびＹは，（１）１個以上のヘテロ原子を含むことが可能な環式環または多環式環を形成する，または（２）縮合芳香族環を形成する，または（３）独立に水素，アルキルまたはアリールであることが可能である，もしくは（４）もう一つのスルホニルオキシイミド含有残基に結合されてもよく，あるいは（５）ポリマー鎖または主鎖に結合されてもよい）
の化合物
（当合議体注：【００２８】の「ＺはＨ）Ｃ１〜６アルキル，樟脳置換基，−２−（９，１０−ジエトキシアントラセンまたは」は，「ＺはＨ
，
）
…省略…
【００４８】上述したように，本発明のＰＡＧ混合物は，好ましくは，化学増幅ポジ型レジスト組成物中で用いられる。こうした組成物は，溶解抑制成分，例えば，光酸レービル部位（ｐｈｏｔｏａｃｉｄ　ｌａｂｉｌｅ　ｍｏｉｅｔｉｅｓ）を有する樹脂を含む。好ましいデブロッキング成分（ｄｅｂｌｏｃｋｉｎｇ　ｃｏｍｐｏｎｅｎｔｓ）は，開裂して光発生された酸の存在下で極性酸基を形成することができる懸垂してなるエステル基を形成するアクリレート繰り返し単位を有する樹脂である。
…省略…
【００６０】１９３ｎｍイメージングの用途の場合，好ましくは，レジスト樹脂バインダー成分は，フェニルまたはその他の芳香族基を実質的に含まない。
…省略…
【００６２】ＰＡＧ混合物成分は，レジストの被覆層中で潜像の生成を可能にするために十分な量でフォトレジスト混合中に存在するべきである。
…省略…
【００６４】本発明の
レジストの樹脂バインダー成分は，
レジストの露光された被膜層をアルカリ水溶液などで現像可能にするために十分な量
【００６５】本発明のフォトレジストは，一般に，本発明の光活性成分がこうしたフォトレジストの混合物中で用いられる先行技術の光活性化合物に置き換えられること以外は公知の手順に従って調製される。」
　(2) 引用発明１
　引用文献１の【０００１】には，「イオン性および非イオン性光酸発生剤化合物の混合物を含有してな」り，「サブミクロン寸法で高解像度の形状」「を実現することが可能な深ＵＶフォトレジスト」「として」「有用である」「フォトレジスト組成物」が記載されている。また，引用文献１の【００２６】〜【００２７】には，「非イオン性ＰＡＧとして用いるために適し」た「化合物」として，「【化５】」「
」「（式中，ＸａＲは，−ＣｎＨ２ｎ＋１（式中，ｎ＝１〜８），−ＣｎＦ２ｎ＋１（式中，ｎ＝１〜８），樟脳置換基，−２（９，１０−ジエトキシアントラセン），−（ＣＨ２）ｎ−Ｚまたは−（ＣＦ２）ｎ−Ｚ（式中，ｎ＝１〜４，ＺはＨ，Ｃ１〜６アルキル，樟脳置換基，−２−（９，１０−ジエトキシアントラセン）またはフェニルなどのアリールである）であ」るものが記載されている。さらに，引用文献１の【００６４】には，「レジストの樹脂バインダー成分は」，「レジストの露光された被膜層をアルカリ水溶液などで現像可能にするために十分な量」であることが記載されている。
　そうしてみると，引用文献１には，次の「フォトレジスト組成物」の発明が記載されている（以下「引用発明１」という。）。なお，「ＰＡＧ」を「光酸発生剤」に，「および」を「及び」に，「または」を「又は」に書き改めた。また，【化５】の式中，炭素原子，Ｘ及びＹの説明は割愛した。
　「　イオン性及び非イオン性光酸発生剤化合物の混合物を含有してなり，サブミクロン寸法で高解像度の形状を実現することが可能な深ＵＶフォトレジストとして有用であるフォトレジスト組成物であって，
　非イオン性光酸発生剤化合物として用いるために適した化合物が，
【化５】
（式中，ＸａＲは，−ＣｎＨ２ｎ＋１（式中，ｎ＝１〜８），−ＣｎＦ２ｎ＋１（式中，ｎ＝１〜８），樟脳置換基，−２（９，１０−ジエトキシアントラセン），−（ＣＨ２）ｎ−Ｚ又は−（ＣＦ２）ｎ−Ｚ（式中，ｎ＝１〜４，ＺはＨ，Ｃ１〜６アルキル，樟脳置換基，−２−（９，１０−ジエトキシアントラセン）又はフェニルなどのアリールである）であり，
　レジストの樹脂バインダー成分は，レジストの露光された被膜層をアルカリ水溶液などで現像可能にするために十分な量である，
　フォトレジスト組成物。」
　(3) 対比
　本願発明と引用発明１を対比すると，以下のとおりとなる。
　ア　フォトレジスト組成物
　引用発明１の「フォトレジスト組成物」は，「サブミクロン寸法で高解像度の形状を実現することが可能な深ＵＶフォトレジストとして有用である」。
　上記用途からみて，引用発明１の「フォトレジスト組成物」は，本願発明の「フォトレジスト組成物」に相当する。
　イ　樹脂バインダ
　引用発明１の「フォトレジスト組成物」において，「レジストの樹脂バインダー成分は，レジストの露光された被膜層をアルカリ水溶液などで現像可能にするために十分な量である」。
　上記成分及び分量からみて，引用発明１の「樹脂バインダー」は，本願発明の「樹脂バインダ」に相当する。また，引用発明１の「フォトレジスト組成物」は，本願発明の「フォトレジスト組成物」における，「組成物の露光されたコーティング層を現像させるのに充分な量で樹脂バインダ」「を含み」という要件を満たす。
　ウ　光感応性酸発生剤化合物
　引用発明１の「フォトレジスト組成物」は，「イオン性及び非イオン性光酸発生剤化合物の混合物を含有してなり」，「深ＵＶフォトレジストとして有用である」。また，引用発明１の「非イオン性光酸発生剤化合物」の構造は，次のとおりである。
【化５】
　上記構造及び用途からみて，引用発明１の「非イオン性光酸発生剤化合物」は，「深ＵＶ」，すなわち深紫外線に感応して酸（ＲＸａＳＯ３Ｈ）を発生する剤である。
　そうしてみると，引用発明１の「非イオン性光酸発生剤化合物」は，本願発明の「光感応性酸発生剤化合物」に相当する。また，引用発明１の「フォトレジスト組成物」は，本願発明の「フォトレジスト組成物」における，「光感応性酸発生剤化合物を含み」という要件を満たす。
　(4) 一致点及び相違点
　ア　一致点
　本願発明と引用発明１は，次の構成で一致する。
「　組成物の露光されたコーティング層を現像させるのに充分な量で樹脂バインダおよび光感応性酸発生剤化合物を含む，フォトレジスト組成物。」
　イ　相違点
　本願発明と引用発明１は，次の点で相違する。
（相違点１）
　「光感応性酸発生剤」が，本願発明は，「放射線で露光されることにより，化学式
　　　　　Ｒ（ＣＲ１Ｒ２）ＣＦ２ＳＯ３Ｈ
（式中，Ｒが置換されていてもよいＣ１−２０アルキル，置換されていてもよい炭素環式芳香族基，置換されていてもよいヘテロ脂環式基又は置換されていてもよいヘテロ芳香族基であり，Ｒ１とＲ２がそれぞれ独立して水素または水素以外の置換基である。ただし，Ｒ（ＣＲ１Ｒ２）がパーハロアルキルであることはなく，ＣＨ３（ＣＨ２）５ＣＦ２−基であることはなく，ＣＦ３（ＣＦＨ）−基であることはなく，Ｃ２Ｈ５（ＣＦ２）−基であることはない。）
で表されるα，α−ジフルオロアルキルスルホン酸を発生させる」のに対して，引用発明１は，これに限らない点。
　(5) 判断
　引用発明１の「非イオン性光酸発生剤化合物」の構造は，次のとおりである。
【化５】
（式中，ＸａＲは，−ＣｎＨ２ｎ＋１（式中，ｎ＝１〜８），−ＣｎＦ２ｎ＋１（式中，ｎ＝１〜８），樟脳置換基，−２（９，１０−ジエトキシアントラセン），−（ＣＨ２）ｎ−Ｚまたは−（ＣＦ２）ｎ−Ｚ（式中，ｎ＝１〜４，ＺはＨ，Ｃ１〜６アルキル，樟脳置換基，−２−（９，１０−ジエトキシアントラセン）またはフェニルなどのアリールである）
　ここで，上記構造に接した当業者ならば，引用発明１の「非イオン性光酸発生剤化合物」として，例えば，「ＸａＲ」が「−（ＣＦ２）ｎ−Ｚ」であり，「Ｚ」が「フェニルなどのアリール」である選択肢を抽出し、この選択肢の「フォトレジスト組成物」を、具体的な技術思想を具備する発明とすることができる。そして，この「非イオン性光酸発生剤化合物」は，「深ＵＶ」，すなわち放射線で露光されることにより光酸発生剤として機能し，相違点１に係る本願発明の「化学式」の要件を満たす酸を発生させる。
　そうしてみると，引用発明１を，相違点１に係る本願発明の構成を具備したものとすることは，引用発明１を具体化する当業者における単なる選択肢にすぎない。
　なお，本件出願の発明の詳細な説明を参照しても，本願発明が，そのすべての範囲において，当業者が予測することができなかった効果や，本願発明の構成から当業者が予測することができた範囲の効果を超える顕著な効果を奏するということはできない。
　(6) 小括
　本願発明は，引用文献１に記載された発明に基づいて当業者が容易に発明をすることができたものであるから，特許法２９条２項の規定により特許を受けることができない。
　３　理由２（進歩性）引用文献２を主引用例とする場合について
　(1) 引用文献２の記載
　引用文献２（旧東ドイツ国経済特許第２９５４２１号明細書）は，本件出願の優先権主張の日前に日本国内又は外国において頒布された刊行物であるところ，その特許請求の範囲（１頁）の「１．」には，次の記載がある。
「
」
（参考訳：１つ以上の感光性成分，１つのポリ（三級ブトキシカルボニル−オキシ−スチレン）及び１つの溶媒又は溶媒混合物から成る，ポジ型に作用する写真複写用化学増幅レジストであって，
　前記写真複写用レジストは，一般式Ｉで表される１つのスルホニウム塩，
（式中，Ｒ１，Ｒ２及びＲ３は，水素，アルキル，置換されていない又は置換されたアリール又はヘテロアリールを意味し，かつＡ（−）は，
ＣＦ３−（ＣＸＹ）ｎ−ＣＦＺ−ＳＯ３（−）　かつ，
Ｘ＝Ｈ，Ｆ，ＣＦ３，
Ｙ＝Ｆ，
Ｚ＝Ｈ，Ｆ，
ｎ＝０〜６
又は，
ＣＦ３−（ＣＸＹ）ｎ−Ｂ−（ＣＦＺ）ｍ−ＳＯ３（−）　かつ，
Ｂ＝Ｏ−ＣＦ２，Ｏ−Ｃ＝Ｏ，
Ｘ＝Ｈ，Ｆ，ＣＦ３，
Ｚ＝Ｆ，ＣＦ３，
ｎ＝１〜８，
ｍ＝１，２
前記ポリ（三級ブトキシカルボニル−オキシ−スチレン）及び前記溶媒又は溶媒混合物から成っており，前記感光性成分は，全固体含有量に対して４重量％から２５重量％の濃度で含まれていることを特徴とするポジ型に作用する写真複写用化学増幅レジスト。）
　なお，参考訳においては，上付きで丸囲いの「−」を，「（−）」で表記した。
　(2) 引用発明２
　引用文献１の特許請求の範囲の「１．」に記載された「写真複写用化学増幅レジスト」の発明を，以下，引用発明２という。
　(3) 対比，一致点及び相違点
　ア　対比
　本願発明と引用発明２を対比すると，引用発明２の「ポリ（三級ブトキシカルボニル−オキシ−スチレン）」，「一般式Ｉで表される１つのスルホニウム塩」及び「化学増幅レジスト」は，その構造や組成からみて，それぞれ本願発明の「樹脂バインダ」，「光感応性酸発生剤化合物」及び「フォトレジスト組成物」に相当する。また，引用発明２の「化学増幅レジスト」が，本願発明の「フォトレジスト組成物」における，「組成物の露光されたコーティング層を現像させるのに充分な量で樹脂バインダおよび光感応性酸発生剤化合物を含み」という要件を満たすことは自明である。
　イ　一致点
　本願発明と引用発明２は，次の構成で一致する。
「組成物の露光されたコーティング層を現像させるのに充分な量で樹脂バインダおよび光感応性酸発生剤化合物を含む，フォトレジスト組成物。」
　ウ　相違点
　本願発明と引用発明２は，次の点で相違する。
（相違点２）
　「光感応性酸発生剤」が，本願発明は，「放射線で露光されることにより，化学式
　　　　　Ｒ（ＣＲ１Ｒ２）ＣＦ２ＳＯ３Ｈ
（式中，Ｒが置換されていてもよいＣ１−２０アルキル，置換されていてもよい炭素環式芳香族基，置換されていてもよいヘテロ脂環式基又は置換されていてもよいヘテロ芳香族基であり，Ｒ１とＲ２がそれぞれ独立して水素または水素以外の置換基である。ただし，Ｒ（ＣＲ１Ｒ２）がパーハロアルキルであることはなく，ＣＨ３（ＣＨ２）５ＣＦ２−基であることはなく，ＣＦ３（ＣＦＨ）−基であることはなく，Ｃ２Ｈ５（ＣＦ２）−基であることはない。）
で表されるα，α−ジフルオロアルキルスルホン酸を発生させる」のに対して，引用発明２は，これに限らない点。
　(4) 判断
　引用発明２の「一般式Ｉで表される１つのスルホニウム塩」の構造は，次のとおりである。
（式中，Ｒ１，Ｒ２及びＲ３は，水素，アルキル，置換されていない又は置換されたアリール又はヘテロアリールを意味し，かつＡ（−）は，
ＣＦ３−（ＣＸＹ）ｎ−ＣＦＺ−ＳＯ３（−）　かつ，
Ｘ＝Ｈ，Ｆ，ＣＦ３，
Ｙ＝Ｆ，
Ｚ＝Ｈ，Ｆ，
ｎ＝０〜６
又は，
ＣＦ３−（ＣＸＹ）ｎ−Ｂ−（ＣＦＺ）ｍ−ＳＯ３（−）　かつ，
Ｂ＝Ｏ−ＣＦ２，Ｏ−Ｃ＝Ｏ，
Ｘ＝Ｈ，Ｆ，ＣＦ３，
Ｚ＝Ｆ，ＣＦ３，
ｎ＝１〜８，
ｍ＝１，２
　ここで，上記構造に接した当業者ならば，引用発明２の「一般式Ｉで表される１つのスルホニウム塩」として，例えば，「Ａ（−）」が「ＣＦ３−（ＣＸＹ）ｎ−ＣＦＺ−ＳＯ３（−）」であり，「Ｚ」が「Ｆ」，「Ｘ」が「Ｈ」である選択肢（ただしｎ＝０を除く）を抽出し、この選択肢の「化学増幅レジスト」を、具体的な技術思想を具備する発明とすることができる。そして，この「一般式Ｉで表される１つのスルホニウム塩」は，技術的にみて，紫外線，すなわち放射線で露光されることにより光酸発生剤として機能し，相違点２に係る本願発明の「化学式」の要件を満たす酸を発生させる。
　そうしてみると，引用発明２を，相違点２に係る本願発明の構成を具備したものとすることは，引用発明２を具体化する当業者における単なる選択肢にすぎない。
　なお，本件出願の発明の詳細な説明を参照しても，本願発明が，そのすべての範囲において，当業者が予測することができなかった効果や，本願発明の構成から当業者が予測することができた範囲の効果を超える顕著な効果を奏するということはできない。
　(5) 小括
　本願発明は，引用文献２に記載された発明に基づいて当業者が容易に発明をすることができたものであるから，特許法２９条２項の規定により特許を受けることができない。
　４　理由２（進歩性）引用文献３を主引用例とする場合について
　(1) 引用文献３の記載
　引用文献３（特開平８−５３４４２号公報）は，本件出願の優先権主張の日前に日本国内又は外国において頒布された刊行物であるところ，そこには，以下の記載がある。なお，下線は当合議体が付したものであり，引用発明の認定や判断等に活用した箇所を示す。
　ア　「【発明の詳細な説明】
【０００１】
【発明の属する技術分野】本発明は対応するイオン交換（counter ion exchange）を含まないワンポット方（one-pot process ）によってジアリールヨードニウムフルオロアルキルスルホネート塩を製造する方法及びこの方法によって得られた塩に関する。」
　イ　「【０００２】
【従来の技術】
ヨードニウム塩は，多くの画像系において重要な物質である。このものは，重合反応若しくは解重合反応を開始させ，若しくは酸感受性基と反応するのに使用される遊離基，又は強プロトン酸を光化学的にその場で生産するのに使用することができる。一般に，このものは熱的に安定であるが，光化学的に不安定であって，例えばエポキシドタイプの樹脂の硬化のみならず，印刷板，リトグラフフィルム及び校正刷の如き画像関係において理想的な物質である。
…省略…
【０００９】
【発明が解決しようとする課題】本発明者等は，硫酸を含まずまた相応するイオン交換を行うこともなく，ジアリールヨードニウムフルオロアルキルスルホネート塩を合成するための便利で，簡単で，安全で効果的なワンポット方法を新たに見い出した。
【００１０】本発明の一側面は，次に示す工程を含むジアリールヨードニウムフルオロアルキルスルホネート塩を製造する新規な方法である。すなわち，
（ａ）（ｉ）電子中性基，電子供与基及びこれらの組合せたものから成る群から選ばれる１個以上の基で任意に置換された芳香族化合物であって，ここでの芳香族化合物は少なくとも１個のペンダント−Ｈを有し，そしてこの芳香族化合物は成分（ｂ）のフルオロアルキルスルホン酸に対して反応性ではなく，（ii) 脂肪族無水物，脂環式無水物及びこれらの混合物から選ばれる無水物であって，この無水物は成分（ｂ）のフルオロアルキルスルホン酸に対して反応性ではない１個以上の基で任意には置換され，そしてこの無水物は約４．２より大きいｐｋａ値を有する酸から誘導されたものであり，（iii ）沃素酸のアルカリ金属塩，並びに（iv）任意には，成分（ｉ）から（iii ）に対して反応性ではない溶剤，を含む混合物を形成し，
（ｂ）この混合物に撹拌しながら，式Ｒ11−ＣＦ2−ＳＯＨのフルオロアルキルスルホン酸を加え，ここでＲ11はアルキル基，クロロフルオロアルキル基，塩素化アルキル基及び弗素化アルキル基から成る群から選ばれ，ここでのフルオロアルキルスルホン酸はこのフルオロアルキルスルホン酸に対して反応性ではない溶剤に任意には溶解され，ここでの反応は発熱反応を調整する反応速度及び温度において反応が生ずるようにし，
（ｃ）発熱反応を調整する温度において，撹拌しながら反応を続けてジアリールヨードニウムフルオロアルキルスルホネート塩を形成する各工程を含むジアリールヨードニウムフルオロアルキルスルホネート塩の製造方法である。
【００１１】本発明は，更に任意にはジアリールヨードニウムフルオロアルキルスルホネート塩を分離する工程（ｄ）を包含する。
【００１２】本発明はまた，本発明の製造方法に従って得られた塩を提供する。本発明方法に従って得られた好ましい塩は，次に示す式から選ばれるものである。
【化４】
及び
【化５】
ここで，ｍは０又は１の整数を表わし，
Ｒ１，Ｒ２，Ｒ３，Ｒ４，Ｒ５，Ｒ６，Ｒ７，Ｒ８，Ｒ９及びＲ１０は電子中性基及び電子供与基から成る群からいづれも独立して選ばれ，ここでの隣接したＲ１，Ｒ２，Ｒ３，Ｒ４，Ｒ７，Ｒ８，Ｒ９，Ｒ１０基は任意にはお互に共に環を形成しても良く，そしてＲ１１はハロゲン基，アルキル基，クロロフルオロアルキル基，塩素化アルキル基及び弗素化アルキル基から成る群から選ばれる。
…省略…
【００１８】芳香族化合物
本発明方法において使用される好ましい芳香族化合物は，電子中性置換基及び／又は電子豊当（電子供与）な置換基から成る群から選ばれ，ここで芳香族化合物は少なくとも１個の未置換部分（すなわち，少なくとも１個の−Ｈ）を有する。…省略…
【００２４】無水物
本発明において使用される無水物は，良好な収率を得る理由から，好ましくはｐｋａ値が約４．２又はそれより大きい値，更にはより良き収率及び市場における入手容易性の理由から，ｐｋａ値が４．５から約５．０の値を有する酸から誘導されるものである。ｐｋａ値が４．２より低い値の酸から誘導される無水物は，収率を悪くする原因となる。
…省略…
【００２７】沃素酸のアルカリ金属塩
本願において“アルカリ金属”とは，ナトリウム，カリウム，リチウム及びセシウムについてである。
…省略…
【００２９】弗素化アルキルスルホン酸
本発明方法において使用されるフルオロアルキルスルホン酸は，式Ｒ１１−ＣＦ２−ＳＯ３Ｈであり，ここでＲ１１はアルキル基（通常，Ｃ１〜Ｃ２０），クロロフルオロアルキル基（通常，Ｃ１〜Ｃ２０），塩素化アルキル基（通常，Ｃ１〜Ｃ２０）及び弗素化アルキル基（通常，Ｃ１〜Ｃ２０）から成る群から選ばれる。
…省略…
【００３３】任意の溶剤
使用されるフルオロアルキルスルホン酸に対して反応性ではなく，また採用される反応条件（例えば，強酸性条件及び酸化条件）のもとで，それ自体反応性ではない溶剤（通常，有機溶剤）は，本発明方法において任意に使用することができる。」
　(2) 引用発明３
　引用文献３の【００１２】には【化４】として，次の「塩」の発明が記載されている（以下「引用発明３」という。）。
「　次の【化４】式で表される塩。
【化４】
ここで，Ｒ１，Ｒ２，Ｒ３，Ｒ４，Ｒ５，Ｒ６，Ｒ７，Ｒ８，Ｒ９及びＲ１０は電子中性基及び電子供与基からなる群からいずれも独立して選ばれ，ここでの隣接したＲ１，Ｒ２，Ｒ３，Ｒ４，Ｒ７，Ｒ８，Ｒ９，Ｒ１０基は任意にはお互に共に環を形成しても良く，そしてＲ１１はハロゲン基，アルキル基，クロロフルオロアルキル基，塩素化アルキル基及び弗素化アルキル基から成る群から選ばれる。」
　(3) 対比，一致点及び相違点
　引用発明３の「塩」は，その構造からみて，本願発明の「光感応性酸発生剤化合物」に相当する。
　そうしてみると，本願発明と引用発明３は「光感応性酸発生剤化合物」の点で一致し，以下の点で相違する。
（相違点３Ａ）
　本願発明は，「組成物の露光されたコーティング層を現像させるのに充分な量で樹脂バインダおよび光感応性酸発生剤化合物を含み」という要件を具備する「フォトレジスト組成物」であるのに対して，引用発明３は，「塩」である点。
（相違点３Ｂ）
　「光感応性酸発生剤」が，本願発明は，「放射線で露光されることにより，化学式
　　　　　Ｒ（ＣＲ１Ｒ２）ＣＦ２ＳＯ３Ｈ
（式中，Ｒが置換されていてもよいＣ１−２０アルキル，置換されていてもよい炭素環式芳香族基，置換されていてもよいヘテロ脂環式基又は置換されていてもよいヘテロ芳香族基であり，Ｒ１とＲ２がそれぞれ独立して水素または水素以外の置換基である。ただし，Ｒ（ＣＲ１Ｒ２）がパーハロアルキルであることはなく，ＣＨ３（ＣＨ２）５ＣＦ２−基であることはなく，ＣＦ３（ＣＦＨ）−基であることはなく，Ｃ２Ｈ５（ＣＦ２）−基であることはない。）
で表されるα，α−ジフルオロアルキルスルホン酸を発生させる」のに対して，引用発明３は，これに限らない点。
　(4) 判断
　ア　相違点３Ａについて
　引用文献３の【０００２】には，「ヨードニウム塩は，多くの画像系において重要な物質である。このものは，重合反応若しくは解重合反応を開始させ，若しくは酸感受性基と反応するのに使用される遊離基，又は強プロトン酸を光化学的にその場で生産するのに使用することができる。一般に，このものは熱的に安定であるが，光化学的に不安定であって，例えばエポキシドタイプの樹脂の硬化のみならず，印刷板，リトグラフフィルム及び校正刷の如き画像関係において理想的な物質である。」と記載されている。
　上記記載からみて，引用発明３の「塩」を，フォトレジスト組成物の光酸発生剤として採用することは，引用文献３が示唆する用途にすぎない。
　また，このようにしてなるものは，必然的に「組成物の露光されたコーティング層を現像させるのに充分な量で樹脂バインダ」を含むものとなる。
　イ　相違点３Ｂについて
　引用発明３の「塩」の構造は，次のとおりである。
【化４】
ここで，Ｒ１，Ｒ２，Ｒ３，Ｒ４，Ｒ５，Ｒ６，Ｒ７，Ｒ８，Ｒ９及びＲ１０は電子中性基及び電子供与基からなる群からいずれも独立して選ばれ，ここでの隣接したＲ１，Ｒ２，Ｒ３，Ｒ４，Ｒ７，Ｒ８，Ｒ９，Ｒ１０基は任意にはお互に共に環を形成しても良く，そしてＲ１１はハロゲン基，アルキル基，クロロフルオロアルキル基，塩素化アルキル基及び弗素化アルキル基から成る群から選ばれる。
　ここで，上記構造に接した当業者ならば，引用発明３の「塩」として，例えば，「Ｒ１１」が「アルキル基」である選択肢（ただし，炭素数が１のもの及び炭素数が２２以上であるものを除く）を抽出し、この選択肢の「塩」を、具体的な技術思想を具備する発明とすることができる。そして，この「塩」は，技術的にみて，紫外線，すなわち放射線で露光されることにより光酸発生剤として機能し，相違点３Ｂに係る本願発明の「化学式」の要件を満たす酸を発生させる。
　そうしてみると，引用発明３を，相違点３Ｂに係る本願発明の構成を具備したものとすることは，引用発明３を具体化する当業者における単なる選択肢にすぎない。
　なお，本件出願の発明の詳細な説明を参照しても，本願発明が，そのすべての範囲において，当業者が予測することができなかった効果や，本願発明の構成から当業者が予測することができた範囲の効果を超える顕著な効果を奏するということはできない。
　(5) 小括
　本願発明は，引用文献３に記載された発明に基づいて当業者が容易に発明をすることができたものであるから，特許法２９条２項の規定により特許を受けることができない。
　５　理由３（拡大先願）について
　(1) 先願１の記載
　先願１（特願２０００−３２１１２８号）は，本件出願の優先権主張の日前の他の特許出願であって，その優先権主張の日後に出願公開（特開２００２−１３１８９７号）がされた特許出願であるところ，そこには，以下の記載がある。なお，下線は当合議体が付したものであり，先願発明の認定や判断等に活用した箇所を示す。
　ア　「【発明の詳細な説明】
【０００１】
【発明の属する技術分野】本発明は，平版印刷板やＩＣ等の半導体製造工程，液晶，サーマルヘッド等の回路基板の製造，更にその他のフォトファブリケーション工程に使用されるポジ型感光性組成物に関するものである。」
　イ　「【０００２】
【従来の技術】平版印刷板やＩＣ等の半導体製造工程，液晶，サーマルヘッド等の回路基板の製造，更にその他のフォトファブリケーション工程に使用される感光性組成物としては，種々の組成物があり，一般的にフォトレジスト感光性組成物が使用され，それは大きく分けるとポジ型とネガ型の２種ある。
…省略…
【０００８】
【発明が解決しようとする課題】したがって，本発明の目的は，超微細加工が可能な短波長の露光光源及びポジ型化学増幅レジストを用いたリソグラフィー技術にあって，解像力が向上し，現像残査が低減し，露光マージンや焦点深度等のプロセス許容性が改善されたポジ型レジスト組成物を提供することにある。
【０００９】
【課題を解決するための手段】本発明によれば，下記構成のポジ型レジスト組成物が提供されて，本発明の上記目的が達成される。
【００１０】（１）　（Ａ）
活性光線の照射により
で表されるスルホン酸を発生する化合物を少なくとも１種
（Ｂ）
酸の作用により分解し，アルカリ現像液中での溶解度を増大させる基を有する樹脂
を含有する
ポジ型レジスト組成物。
【００１１】
【化３】
【００１２】一般式（Ｘ）中，Ｒ１ａ〜Ｒ１３ａは，水素原子，アルキル基，ハロゲン原子で置換されたアルキル基，ハロゲン原子，水酸基を表す。Ａは，ヘテロ原子を有する２価の連結基または単結合を表す。但し，Ａが単結合の場合，Ｒ１ａ〜Ｒ１３ａの全てが同時にフッ素原子を表すことはなく，またＲ１ａ〜Ｒ１３ａの全てが同時に水素原子を表すことはない。ｍは０〜１２の整数を表す。ｎは０〜１２の整数を表す。ｑは１〜３の整数を表す。
…省略…
【００１９】
【発明の実施の形態】本発明は，
１． （Ａ）活性光線の照射により下記一般式（Ｘ）で表されるスルホン酸を発生する化合物を少なくとも１種，及び
（Ｂ）酸の作用により分解し，アルカリ現像液中での溶解度を増大させる基を有する樹脂を必須成分として含有するポジ型レジスト組成物（以下「第１組成物」ともいう）と，
２． （Ａ）活性光線の照射により下記一般式（Ｘ）で表されるスルホン酸を発生する化合物を少なくとも１種
（Ｃ）酸の作用により分解し，アルカリ現像液への溶解性が増大する分子量３０００以下の化合物，及び
（Ｅ）アルカリ可溶性樹脂を必須成分として含有するポジ型レジスト組成物（以下「第２組成物」ともいう）を包含する。
…省略…
【００２１】〔組成物に含有される各成分の説明〕
〔１〕（Ａ）活性光線の照射により下記（当合議体注：「下記」は「上記」の誤記である。）一般式（Ｘ）で表されるスルホン酸を発生する化合物を少なくとも１種（（Ａ）成分又はスルホン酸発生剤ともいう）上記一般式（Ｘ）中，Ｒ１ａ〜Ｒ１３ａは，水素原子，アルキル基，ハロゲン原子で置換されたアルキル基，ハロゲン原子，水酸基を表す。Ａは，ヘテロ原子を有する２価の連結基または単結合を表す。但し，Ａが単結合の場合，Ｒ１ａ〜Ｒ１３ａの全てが同時にフッ素原子を表すことはなく，またＲ１ａ〜Ｒ１３ａの全てが同時に水素原子を表すことはない。ｍは０〜１２の整数を表す。ｎは０〜１２の整数を表す。ｑは１〜３の整数を表す。
【００２２】Ｒ１ａ〜Ｒ１３ａのアルキル基としては，置換基を有してもよい，メチル基，エチル基，プロピル基，ｎ−ブチル基，ｓｅｃ−ブチル基，ｔ−ブチル基のような炭素数１〜１２個のものが挙げられる。Ｒ１ａ〜Ｒ１３ａのハロゲン原子としては，フッ素原子，塩素原子，沃素原子等が挙げられる。この置換基として好ましくは，炭素数１〜４個のアルコキシ基，ハロゲン原子（フッ素原子，塩素原子，沃素原子），炭素数６〜１０個のアリール基，炭素数２〜６個のアルケニル基，シアノ基，ヒドロキシ基，カルボキシ基，アルコキシカルボニル基，ニトロ基等が挙げられる。
【００２３】Ａにおけるヘテロ原子を有する２価の連結基としては，酸素原子，硫黄原子，−ＣＯ−，−ＣＯＯ−，−ＣＯＮＲ−，−ＳＯ２ＮＲ−，−ＣＯＮＲＣＯ−，−ＳＯ２ＮＲＣＯ−，−ＳＯ２ＮＲＳＯ２−，−ＯＣＯＮＲ−等が挙げられる。ここで，Ｒは水素原子，炭素数１〜１０個のアルキル基を表す。
【００２４】
上記一般式（Ｘ）で表されるスルホン酸
ＣＨ３（ＣＨ２）ｋ（ＣＦ２）ｋ’ＳＯ３Ｈで表される化合物
ｋは０〜１２の整数を表
ｋ’は１〜１２の整数を表す
【００２５】本発明の（Ａ）成分としては，上記一般式（Ｘ）で示すスルホン酸のスルホニウム塩またはヨードニウム塩が感度，解像力の点で好ましい。より好ましくはスルホニウム塩であり，これにより保存安定性がさらに向上する。
…省略…
【００３２】以下に，（Ａ）成分の具体例（上記一般式（Ｉ）〜（III）で表される化合物の具体例も含む）を示すが，本発明はこれらに限定されるものではない。
…省略…
【００３４】
【化７】
…省略…
【００３９】
【化１２】
…省略…
【００９８】〔２〕（Ｂ）酸の作用により分解し，アルカリ現像液中での溶解度を増大させる基を有する樹脂（（Ｂ）成分）
（Ｂ）成分は，本発明の第１組成物に必須成分として用いられる。（Ｂ）成分は，酸により分解し，アルカリ現像液中での溶解性を増大させる基（酸で分解しうる基ともいう）を有する樹脂としては，樹脂の主鎖又は側鎖，あるいは，主鎖及び側鎖の両方に，酸で分解し得る基を有する樹脂である。この内，酸で分解し得る基を側鎖に有する樹脂がより好ましい。
…省略…
【０１３４】〔３〕（Ｃ）酸の作用により分解し，アルカリ現像液への溶解性が増大する分子量３０００以下の化合物（（Ｃ）成分）
（Ｃ）成分は，第２組成物に必須成分として含有される成分であり，第１組成物には必要に応じて配合される成分である。（Ｃ）成分は，酸により分解し得る基を有し，アルカリ現像液中での溶解度が酸の作用により増大する，分子量３０００以下，好ましくは２００〜２，０００，更に好ましくは３００〜１，５００の低分子量化合物である。この（Ｃ）成分は，非照射部のアルカリ現像液に対する溶解阻止剤として機能している。なお，以下の記載において，「酸分解性溶解阻止化合物」は（Ｃ）成分と同義である。
…省略…
【０１６２】
〔４〕（Ｅ）アルカリ可溶性樹脂（（Ｅ）成分）
（Ｅ）アルカリ可溶性樹脂は，本発明の第２組成物に必須の成分である。本発明の第１組成物には添加してもよい成分である。（Ｅ）アルカリ可溶性樹脂は，水に不溶でアルカリ現像液に可溶な樹脂であり，第２組成物のアルカリ溶解性を調節するために用いられる。この樹脂は，酸で分解し得る基を実質上有さない。
…省略…
【０１７４】〔６〕（Ｇ）フッ素系及び／又はシリコン系界面活性剤（（Ｇ）成分）
本発明のポジ型レジスト組成物は，（Ｇ）成分を含有することが好ましい。（Ｇ）成分としては，フッ素系界面活性剤，シリコン系界面活性剤及びフッ素原子と珪素原子の両方を含有する界面活性剤の少なくとも１種の界面活性剤である。
…省略…
【０１７６】〔７〕本発明に使用されるその他の成分
本発明のポジ型レジスト組成物には必要に応じて，更に染料，顔料，可塑剤，上記以外の界面活性剤，光増感剤，及び現像液に対する溶解性を促進させるフェノール性ＯＨ基を２個以上有する化合物などを含有させることができる。
…省略…
【０１８１】〔ポジ型レジスト組成物の調製及びその使用〕以上，本発明のポジ型レジスト組成物に含有される各成分を説明した。次に，本発明のポジ型レジスト組成物の調製方法及びその使用方法について説明する。本発明の組成物は，上記各成分を溶解する前記溶媒に溶かして支持体上に塗布する。
…省略…
【０１８３】この際，上記溶媒に上記した（Ｇ）フッ素系及び／又はシリコン系界面活性剤を加えることが好ましい。
…省略…
【０１８４】上記組成物を精密集積回路素子の製造に使用されるような基板（例：シリコン／二酸化シリコン被覆，ＳｉＯＮ，ＴｉＮ，ＳＯＧ）上にスピナー，コーター等の適当な塗布方法により塗布後，所定のマスクを通して照射し，ベークを行い現像することにより良好なレジストパターンを得ることができる。
【０１８５】また，露光光源がＤＵＶ光の場合，反射防止膜を設けた基板上へレジスト膜を塗布することが好ましい。
…省略…
【０２１８】
【発明の効果】本発明のポジ型レジスト組成物は，超微細加工が可能な短波長の露光光源及びポジ型化学増幅レジストを用いたリソグラフィー技術にあって，解像力が向上し，現像残査が低減し，露光マージンや焦点深度等のプロセス許容性が改善されている。また，照射用エネルギー線として電子線を用いた場合でも優れた性能を示す。」
　(2) 先願発明
　先願１の【００２４】の記載からみて，先願１には，「上記一般式（Ｘ）で表されるスルホン酸」として，「ＣＨ３（ＣＨ２）ｋ（ＣＦ２）ｋ’ＳＯ３Ｈで表される化合物」が記載されている。そして，先願１の【００１０】〜【００１２】の記載を勘案すると，先願１には，次の「ポジ型レジスト組成物」の発明が記載されている（以下「先願発明」という。）。
「　活性光線の照射によりＣＨ３（ＣＨ２）ｋ（ＣＦ２）ｋ’ＳＯ３Ｈで表されるスルホン酸を発生する化合物を少なくとも１種，
　酸の作用により分解し，アルカリ現像液中での溶解度を増大させる基を有する樹脂，
　を含有するポジ型レジスト組成物であって，
　ｋは０〜１２の整数を表し，ｋ’は１〜１２の整数を表す，
　ポジ型レジスト組成物。」
　(3) 対比，一致点及び相違点
　ア　対比
　本願発明と先願発明を対比すると，先願発明の「樹脂」，「化合物」及び「ポジ型レジスト組成物」は，その構造，機能及び組成からみて，それぞれ本願発明の「樹脂バインダ」，「光感応性酸発生剤化合物」及び「フォトレジスト組成物」に相当する。また，先願発明の「ポジ型レジスト組成物」が，本願発明の「フォトレジスト組成物」における，「組成物の露光されたコーティング層を現像させるのに充分な量で樹脂バインダおよび光感応性酸発生剤化合物を含み」という要件を満たすことは自明である。
　また，先願発明の「化合物」は，「活性光線の照射によりＣＨ３（ＣＨ２）ｋ（ＣＦ２）ｋ’ＳＯ３Ｈで表されるスルホン酸を発生」し，「ｋ’は１〜１２の整数を表す」から，先願発明の「化合物」は，本願発明の「その光感応性酸発生剤が放射線で露光されることにより，α，α−ジフルオロアルキルスルホン酸を発生させる」という要件を満たす。
　イ　一致点
　本願発明と先願発明は，次の構成で一致する。
「　組成物の露光されたコーティング層を現像させるのに充分な量で樹脂バインダおよび光感応性酸発生剤化合物を含み，その光感応性酸発生剤が放射線で露光されることにより，α，α−ジフルオロアルキルスルホン酸を発生させる，フォトレジスト組成物。」
　ウ　相違点
　本願発明と先願発明は，次の点で，一応，相違する。
（相違点）
「α，α−ジフルオロアルキルスルホン酸」が，本願発明は，「化学式
　　　　　Ｒ（ＣＲ１Ｒ２）ＣＦ２ＳＯ３Ｈ
（式中，Ｒが置換されていてもよいＣ１−２０アルキル，置換されていてもよい炭素環式芳香族基，置換されていてもよいヘテロ脂環式基又は置換されていてもよいヘテロ芳香族基であり，Ｒ１とＲ２がそれぞれ独立して水素または水素以外の置換基である。ただし，Ｒ（ＣＲ１Ｒ２）がパーハロアルキルであることはなく，ＣＨ３（ＣＨ２）５ＣＦ２−基であることはなく，ＣＦ３（ＣＦＨ）−基であることはなく，Ｃ２Ｈ５（ＣＦ２）−基であることはない。）」という要件を満たすものであるのに対して，先願発明は，この要件を満たさない場合がある点。
　(4) 判断
　上記相違点について検討すると，先願発明の「スルホン酸」は，ｋ＋ｋ’が２１を超える非実用的な場合，及び本願発明で除かれている場合（「ｋ＝５かつｋ’＝２」と「ｋ＝１かつｋ’＝２」）を除いて，上記相違点に係る本願発明の「化学式」の要件を満たす。
　そうしてみると，上記相違点は，課題解決のための具体化手段における微差にすぎない。
　(5) 小括
　本願発明は，先願１に記載された発明と実質同一であるから，特許法２９条の２の規定により特許を受けることができない。
　６　請求人の主張について
　理由２（進歩性）及び理由３（拡大先願）に関して，請求人は，令和３年４月２６日付け意見書において，概略，引用文献１〜引用文献３には，本願発明の技術的思想，すなわち，フォトレジスト組成物中の光感応性酸発生剤化合物への放射線露光により発生するα，α−ジフルオロアルキルスルホン酸が，従来知られていた化学式Ｒ（ＣＲ１Ｒ２）ＣＦ２ＳＯ３ＨのＲ（ＣＲ１Ｒ２）がパーフルオロアルキル，ＣＨ３（ＣＨ２）５ＣＦ２−基，ＣＦ３（ＣＦＨ）−基又はＣ２Ｈ５（ＣＦ２）−基である化合物でなくとも，Ｒ（ＣＲ１Ｒ２）ＣＦ２ＳＯ３Ｈの基本骨格を有するものであれば，最終的に好ましいレリーフ像を得ることができる，という技術的思想は開示ないし示唆されておらず，また，先願１には，上記技術的思想は記載されていないと主張する。
　しかしながら，本件出願の明細書には，最終的に好ましいレリーフ像が得られたことを示す評価結果は開示されていないことは既に述べたとおりである。
　あるいは，引用発明１〜引用発明３及び先願発明の用途を考慮すると，請求人が技術的思想として主張するものは，当業者が予測可能な範囲を超えないものである。
　したがって，請求人の主張は採用できない。
第３　むすび
　本件出願の特許請求の範囲の記載は，特許法３６条６項１号に規定する要件を満たしていない。また，本願発明は，特許法２９条２項及び特許法２９条の２の規定により特許を受けることができない。
　したがって，その他の請求項に係る発明について検討するまでもなく，本願は拒絶すべきものである。
　よって，結論のとおり審決する。